【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
遊技者により操作されるボタンを備える遊技機であって、
前記ボタンは、所定の演出を実行する際に操作される演出用のボタンであり、
遊技者によるボタン押下に連動する遮光部と、
投光部と受光部とを有し、前記遮光部により前記投光部からの光が遮断されたことにもとづいて、ボタンの操作を検出する検出手段と、
前記検出手段の周辺に設けられ、前記ボタンの操作面を照明する発光手段と、
ボタンの操作が有効であるときに前記発光手段を発光させる制御を行う発光制御手段と、
遊技者によるボタン押下に連動して前記検出手段と前記発光手段とを仕切る位置に移動し、前記遮光部が前記投光部からの光を遮断するときに前記発光手段からの光が前記受光部へ受光されることを阻止する阻止部と、
を備える
ことを特徴とする遊技機。
【請求項２】
遊技者により操作されるボタンを備える遊技機であって、
前記ボタンは、遊技の進行に関連して操作される遊技進行用のボタンであり、
遊技者によるボタン押下に連動する遮光部と、
投光部と受光部とを有し、前記遮光部により前記投光部からの光が遮断されたことにもとづいて、ボタンの操作を検出する検出手段と、
前記検出手段の周辺に設けられ、前記ボタンの操作面を照明する発光手段と、
ボタンの操作が有効であるときに前記発光手段を発光させる制御を行う発光制御手段と、
遊技者によるボタン押下に連動して前記検出手段と前記発光手段とを仕切る位置に移動し、前記遮光部が前記投光部からの光を遮断するときに前記発光手段からの光が前記受光部へ受光されることを阻止する阻止部と、
を備える
ことを特徴とする遊技機。
【手続補正２】
【補正対象書類名】明細書
【補正対象項目名】０００７
【補正方法】変更
【補正の内容】
【０００７】
前記課題を解決するために、本発明の請求項１に記載の遊技機は、
遊技者により操作されるボタン（チャンスボタン５１６）を備える遊技機（パチンコ遊技機１）であって、
前記ボタンは、所定の演出を実行する際に操作される演出用のボタンであり、
遊技者によるボタン押下に連動する遮光部（遮光壁１８１５ａ）と、
投光部（１８４０）と受光部（１８４１）とを有し、前記遮光部により前記投光部からの光が遮断されたことにもとづいて、ボタンの操作を検出する検出手段（ボタンスイッチ５１６ａ）と、
前記検出手段の周辺に設けられ、前記ボタンの操作面（ボタントップ１８０４の上板１８０４ａ上面）を照明する発光手段（ボタンＬＥＤ５１６ｂ〜５１６ｄ）と、
ボタンの操作が有効であるときに前記発光手段を発光させる制御を行う発光制御手段（演出制御用マイクロコンピュータ８１のＣＰＵ８６は、通常時にボタンＬＥＤ５１６ｂ〜５１６ｄを白色で発光させ、チャンスボタン５１６の操作が有効になったときにボタンＬＥＤ５１６ｂ〜５１６ｄを青、黄、緑、赤等に発光させる）と、
遊技者によるボタン押下に連動して前記検出手段と前記発光手段とを仕切る位置（投光部１８４０と受光部１８４１の周囲）に移動し、前記遮光部が前記投光部からの光を遮断するときに前記発光手段からの光が前記受光部へ受光されることを阻止する阻止部（被覆壁１８１５ｂ）と、
を備える
ことを特徴としている。
この特徴によれば、ボタン押下に連動して遮光部により投光部からの光が遮断されるとき、つまりボタンの操作が検出されるときには、検出手段と発光手段とが阻止部により仕切られることで少なくとも発光手段からの直接光の受光部への入射が阻止されるため、発光手段からの光が受光部へ受光されてボタン操作の検出が無効化されることが防止される。また、阻止部は、ボタンが押下されていないときには検出手段と発光手段とを仕切る位置から退避しているため、発光手段からの光が阻止部にて反射して操作面の照明に支障をきたすこと等がない。
本発明の請求項２に記載の遊技機は、
遊技者により操作されるボタンを備える遊技機であって、
前記ボタンは、遊技の進行に関連して操作される遊技進行用のボタンであり、
遊技者によるボタン押下に連動する遮光部と、
投光部と受光部とを有し、前記遮光部により前記投光部からの光が遮断されたことにもとづいて、ボタンの操作を検出する検出手段と、
前記検出手段の周辺に設けられ、前記ボタンの操作面を照明する発光手段と、
ボタンの操作が有効であるときに前記発光手段を発光させる制御を行う発光制御手段と、
遊技者によるボタン押下に連動して前記検出手段と前記発光手段とを仕切る位置に移動し、前記遮光部が前記投光部からの光を遮断するときに前記発光手段からの光が前記受光部へ受光されることを阻止する阻止部と、
を備える
ことを特徴としている。
この特徴によれば、ボタン押下に連動して遮光部により投光部からの光が遮断されるとき、つまりボタンの操作が検出されるときには、検出手段と発光手段とが阻止部により仕切られることで少なくとも発光手段からの直接光の受光部への入射が阻止されるため、発光手段からの光が受光部へ受光されてボタン操作の検出が無効化されることが防止される。また、阻止部は、ボタンが押下されていないときには検出手段と発光手段とを仕切る位置から退避しているため、発光手段からの光が阻止部にて反射して操作面の照明に支障をきたすこと等がない。
【手続補正３】
【補正対象書類名】明細書
【補正対象項目名】０００８
【補正方法】変更
【補正の内容】
【０００８】
本発明の手段１の遊技機は、請求項１または２に記載の遊技機であって、
前記発光制御手段は、前記検出手段（ボタンスイッチ５１６ａ）がボタンの操作を検出したときに前記発光手段（ボタンＬＥＤ５１６ｂ〜５１６ｄ）を非発光状態に制御する（演出制御用マイクロコンピュータ８１のＣＰＵ８６は、チャンスボタン５１６の操作が検出されたときにボタンＬＥＤ５１６ｂ〜５１６ｄを消灯させる）
ことを特徴としている。
この特徴によれば、発光手段からの光が受光部に受光されてボタンの操作の検出が無効化されることを確実に防止できる。
【手続補正４】
【補正対象書類名】明細書
【補正対象項目名】０００９
【補正方法】変更
【補正の内容】
【０００９】
本発明の手段２の遊技機は、請求項１、２または手段１に記載の遊技機であって、
前記阻止部（被覆壁１８１５ｂ）における少なくとも前記検出手段（ボタンスイッチ５１６ａ）との対向面（内面）に低反射層を設けた（被覆壁１８１５ｂの内面を黒色に着色する）
ことを特徴としている。
この特徴によれば、検出手段と阻止部との間隙から発光手段からの光が進入したとしても、低反射層により光の反射が抑制されることにより受光部へ受光されることが阻止されるため、ボタンの操作の検出が無効化されることを確実に防止できる。
【手続補正５】
【補正対象書類名】明細書
【補正対象項目名】００１０
【補正方法】変更
【補正の内容】
【００１０】
本発明の手段３の遊技機は、請求項１、請求項２、手段１、手段２のいずれかに記載の遊技機であって、
前記発光制御手段は、ボタンの操作が有効となったときに前記発光手段（ボタンＬＥＤ５１６ｂ〜５１６ｄ）の発光色を変更させる制御を行う（演出制御用マイクロコンピュータ８１のＣＰＵ８６は、通常時にボタンＬＥＤ５１６ｂ〜５１６ｄを白色で発光させ、チャンスボタン５１６の操作が有効になったときにボタンＬＥＤ５１６ｂ〜５１６ｄを青、黄、緑、赤等に発光させる）
ことを特徴としている。
この特徴によれば、操作が有効でないときでも操作面を光により装飾できるので、操作面の装飾性を高めることができるばかりか、発光色の変化により操作が有効になったことを確実に報知することができる。
【手続補正６】
【補正対象書類名】明細書
【補正対象項目名】００１１
【補正方法】変更
【補正の内容】
【００１１】
本発明の手段４の遊技機は、請求項１、請求項２、手段１〜３のいずれかに記載の遊技機であって、
前記阻止部（被覆壁１８１５ｂ）は、遊技者によるボタン押下に連動して前記遮光部（遮光壁１８１５ａ）が前記投光部（１８４０）からの光を遮断する前に、前記検出手段（ボタンスイッチ５１６ａ）と前記発光手段（ボタンＬＥＤ５１６ｂ〜５１６ｄ）とを仕切る位置に到達する（図４６に示す変形例としての突出壁１８１５’参照、被覆壁１８１５ｂの突出長さＬ３＞遮光壁１８１５ａの突出長さＬ２）
ことを特徴としている。
この特徴によれば、遊技者によるボタンの操作に応じて、投光部からの光が遮光部により遮光されるのに先立って発光手段と検出手段とが阻止部により仕切られるため、ボタンの操作の検出が無効化されることを確実に防止できる。
【手続補正７】
【補正対象書類名】明細書
【補正対象項目名】００１２
【補正方法】変更
【補正の内容】
【００１２】
本発明の手段５の遊技機は、請求項１、請求項２、手段１〜４のいずれかに記載の遊技機であって、
前記阻止部（被覆壁１８１５ｂ）は、前記投光部（１８４０）及び前記受光部（１８４１）の周囲を被覆可能な大きさを有する筒状に形成され（図４４，４５参照）、
前記遮光部（遮光壁１８１５ａ）は、前記筒状の阻止部内に形成されている（図４４，４５参照）
ことを特徴としている。
この特徴によれば、発光手段の配置形態に関わらず、投光部と受光部及び遮光部を含めた周囲が阻止部により被覆されるため、発光手段からの光が乱反射等により受光部へ受光されることを確実に防止できる。
【手続補正８】
【補正対象書類名】明細書
【補正対象項目名】００１３
【補正方法】変更
【補正の内容】
【００１３】
本発明の手段６の遊技機は、請求項１、請求項２、手段１〜５のいずれかに記載の遊技機であって、
所定の報知を行う手段であって、前記ボタンの操作面（ボタントップ１８０４の上板１８０４ａ上面）に触れているまたは近接している遊技者の手に知覚可能に報知する報知手段（演出制御用マイクロコンピュータ８１のＣＰＵ８６は、大当りに当選した可能性があること、スーパーリーチに発展する可能性があること、確変大当りに昇格する可能性があること等を、チャンスボタン５１６の操作面である上板１８０４ａ上面に触れているまたは近接している遊技者の手に、振動モータにより振動を付与するまたは送風手段により手に風を当てることなどにより知覚可能に報知する）と、
前記報知手段の動作異常を検出する報知異常検出手段と、
前記報知異常検出手段が前記動作異常を検出したときに、該異常が生じた旨を報知する異常報知手段｛演出制御用マイクロコンピュータ８１のＣＰＵ８６は、報知手段の動作異常を監視し、動作異常を検出したときに、該異常が生じた旨を所定の異常報知手段（例えば演出表示装置９等）により動作異常を報知する｝と、
を備える
ことを特徴としている。
この特徴によれば、ボタンの操作面に触れるまたは近づけなければ遊技者は報知内容を認識することができないため、遊技者にボタンの操作を積極的に行わせることができるようになるとともに、この報知手段に動作異常が生じた場合にはその旨が報知されるため、動作異常による誤報知であったことを遊技者に確実に認識させることができる。